(57)【要約】      （修正有）【課題】構造が簡単で凝結水余熱の回収利用率が９０％以上に達する凝結水余熱のリサイクルシステムを提供する。【解決手段】水収集溝１と、濾過溝３と、余熱回収器５と、熱交換器７とを備え、それぞれ密閉状にされており、水収集溝１が第一のチューブ２を介して濾過溝３の入水口に接続され、濾過溝３の出水口が第二のチューブ４を介して余熱回収器５の上端部に接続され、余熱回収器５の下端部が第三のチューブ６を介して熱交換器７に接続され、熱交換器７が蓄熱型熱交換器であり、熱交換器７の出水口が溜水器８に接続されており、濾過溝３に上から活性炭層３２とセラミックフィルタエレメント層３３が設けられ、濾過溝３に増圧ポンプ３１が設けられており、第二のチューブ４に、濾過溝３寄りに位置するように疏水器４１が設けられ、余熱回収器５寄りに位置するように圧力平衡器４２が設けられており、熱交換器７の上端部に排气チューブ７１が設けられている。【選択図】図１
0003218317.tif 000002
【実用新案登録請求の範囲】
【請求項１】
水収集溝と、濾過溝と、余熱回収器と、熱交換器とを備え、前記水収集溝と、前記濾過溝と、前記余熱回収器と、前記熱交換器とがそれぞれ密閉状にされており、前記水収集溝が第一のチューブを介して前記濾過溝の入水口に接続され、前記濾過溝の出水口が第二のチューブを介して前記余熱回収器の上端部に接続され，前記余熱回収器の下端部が第三のチューブを介して前記熱交換器に接続され、前記熱交換器が蓄熱型熱交換器であり、前記熱交換器の出水口が溜水器に接続されており、前記濾過溝に上から活性炭層とセラミックフィルタエレメント層が設けられ、前記濾過溝に増圧ポンプが設けられており、前記第二のチューブに、前記濾過溝寄りに位置するように疏水器が設けられ、前記余熱回収器寄りに位置するように圧力平衡器が設けられており、前記熱交換器の上端部に排气チューブが設けられていることを特徴とする工業の生産による凝結水余熱のリサイクルシステム。
【請求項２】
前記第一のチューブ、前記第二のチューブ、前記第三のチューブと前記溜水器の外壁にそれぞれ保温層が備えられていることを特徴とする請求項１に記載の工業の生産による凝結水余熱のリサイクルシステム。
【考案の詳細な説明】
【技術分野】
【０００１】
本実用新案は、省エネ環境保護技術に関し、特に工業の生産による凝結水余熱のリサイクルシステムに関する。
【背景技術】
【０００２】
工業の生産過程、特に石油化学工業、石炭化学工業、基本的な化学工業等の多くの化学工業の生産過程において、石炭、天然ガス或いは電気エネルギー等によって水を加熱して水蒸気を発生し、それを関係の生産工程に利用する必要がある。
【０００３】
大量の水蒸気は、加熱設備で利用された後、一般的に凝結水等の形で直接的に放出される。この凝結水に大量の熱が残っているので、大きな熱の損失となっている。また、ほかに一部の水蒸気が大気に溢れて二次蒸気となり、周りの環境を汚染することもある。
【０００４】
その意味で、前記工業の生産において、凝結水に存在する余熱のリサイクルは省エネルギー面や環境保護面から非常に大切である。上記の課題を解決するために、凝結水余熱のリサイクル装置が大きく期待されている。
【考案の概要】
【考案が解決しようとする課題】
【０００５】
本実用新案の目的は、工業の生産による凝結水余熱のリサイクルシステムを提供することにあり、上記の課題を解決する。
【課題を解決するための手段】
【０００６】
上記の目的を実現するために、本実用新案の技術方案は、以下の通りである。
工業の生産による凝結水余熱のリサイクルシステムは、水収集溝と、濾過溝と、余熱回収器と、熱交換器とを備え、前記水収集溝と、前記濾過溝と、前記余熱回収器と、前記熱交換器とがそれぞれ密閉状にされており、前記水収集溝が第一のチューブを介して前記濾過溝の入水口に接続され、前記濾過溝の出水口が第二のチューブを介して前記余熱回収器の上端部に接続され，前記余熱回収器の下端部が第三のチューブを介して前記熱交換器に接続され、前記熱交換器が蓄熱型熱交換器であり、前記熱交換器の出水口が溜水器に接続されており、前記濾過溝に上から活性炭層とセラミックフィルタエレメント層が設けられ、前記濾過溝に増圧ポンプが設けられており、前記第二のチューブに、前記濾過溝寄りに位置するように疏水器が設けられ、前記余熱回収器寄りに位置するように圧力平衡器が設けられており、前記熱交換器の上端部に排气チューブが設けられている。
【０００７】
本実用新案において、工業の生産による凝結水が水収集溝に収集された後、濾過溝に流入する。濾過溝により凝結水におけるほとんどの介在物が濾過される。そして前記余熱回収器に流入して水の余熱が回収される。回収した熱が熱交換器に入り、蓄熱される。そして、蓄熱した熱により溜水器における水が所定の温度まで加熱される。溜水器における加熱した水が適宜な生産工程に利用されることができる。ここまでを処理すると、余熱のリサイクルが完成される。また、増圧ポンプを設けることによって、凝結水の濾過工程を早めに完了させるよう保証することが可能で、効率を向上するとともに熱の損失を減少することができる。疎水器と圧力平衡器を設けることによって、システムにおける凝結水圧と大気圧を効果的に調節することが可能で、凝結水を飽和状態にさせ、余熱のリサイクル率を向上することができる。
【０００８】
好ましい技術方案として、第一のチューブ、第二のチューブ、第三のチューブと溜水器の外壁にそれぞれ保温層が備えられている。これにより、熱の損失をより良く防止でき、回収利用率を高めることができる。
【考案の効果】
【０００９】
従来の技術と比較すると、本実用新案の優れた点は、本実用新案の構造が簡単であり、凝結水余熱の回収利用率は９０％以上に達し、凝結水余熱を再利用することができ、環境保護の効果が非常に顕著である点にある。
【図面の簡単な説明】
【００１０】
【図１】図１は、本実用新案の構造を示す図である。
【考案を実施するための形態】
【００１１】
以下、図面とともに本実用新案について、さらに説明する。
実施例
図１に示すように、工業の生産による凝結水余熱のリサイクルシステムは、水収集溝1と、濾過溝3と、余熱回収器5と、熱交換器7とを備え、前記水収集溝1と、前記濾過溝3と、前記余熱回収器5と、前記熱交換器7とがそれぞれ密閉状にされており、前記水収集溝1が第一のチューブ2を介して前記濾過溝3の入水口に接続され、前記濾過溝3の出水口が第二のチューブ4を介して前記余熱回収器5の上端部に接続され，前記余熱回収器5の下端部が第三のチューブ6を介して前記熱交換器7に接続され、前記熱交換器7が蓄熱型熱交換器であり、前記熱交換器7の出水口が溜水器8に接続されており、前記濾過溝3に上から活性炭層32とセラミックフィルタエレメント層33が設けられ、前記濾過溝3に増圧ポンプ31が設けられており、前記第二のチューブに、前記濾過溝3寄りに位置するように疏水器41が設けられ、前記余熱回収器5寄りに位置するように圧力平衡器42が設けられており、前記熱交換器7の上端部に排气チューブ71が設けられている。
【００１２】
第一のチューブ2、第二のチューブ4、第三のチューブ6と溜水器8の外壁にそれぞれ保温層が備えられている。これにより、熱の損失をより良く防止することができる。
【００１３】
本実施例において、工業の生産による凝結水が水収集溝1に収集された後、濾過溝3に流入する。濾過溝3により凝結水におけるほとんどの介在物が濾過される。そして前記余熱回収器5に流入して水の余熱が回収される。回収した熱が熱交換器7に入り、蓄熱される。そして、蓄熱した熱により溜水器8における水が所定の温度まで加熱される。溜水器8における加熱した水が適宜な生産工程に利用されることができる。ここまでを処理すると、余熱のリサイクルが完成される。また、増圧ポンプ31を設けることによって、凝結水の濾過工程を早めに完了させるよう保証することが可能で、効率を向上するとともに熱の損失を減少することができる。疎水器41と圧力平衡器42を設けることによって、システムにおける凝結水圧と大気圧を効果的に調節することが可能で、凝結水を飽和状態にさせ、余熱のリサイクル率を向上することができる。
【００１４】
以上の記述は、本実用新案の比較的優れた実施例であって、本実用新案の制限に用いてはならず、本実用新案の精神と原則の範囲内におけるいかなる改変、同等な置換及び改良は、すべて本実用新案の保護範囲内に含まれる。 
【符号の説明】
【００１５】
１        水収集溝
２        第一のチューブ
３        濾過溝
３１      増圧ポンプ
３２      活性炭層
３３      セラミックフィルタエレメント層
４        第二のチューブ
４１      疏水器
４２      圧力平衡器
５        余熱回収器
６        第三のチューブ
７        熱交換器
７１      排气チューブ
８    溜水器
【図１】
0003218317.tif 000003